(57)【要約】      （修正有）【課題】所望のグループに共通のキーワードを設定し、キーワードが同一であるか否かを判断して携帯端末同士の関連付けを行うことにより、関連付けの時刻や場所に関わらず、グループの構成員の携帯端末間のグループ通話を確立するグループ通話確立サーバを提供する。【解決手段】複数の通信端末と無線通信を行い、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立サーバ。【選択図】図３
2014045446.tif 000002
【特許請求の範囲】
【請求項１】
複数の通信端末と無線通信を行い、前記通信端末から送信された音声データを受信する通信部と、前記音声データを照合する音声データ照合部と、少なくとも２つの前記通信端末に共通のグループＩＤを発行するグループＩＤ発行部と、前記通信端末間の双方向の通話を可能にするグループ通話を確立するグループ通話確立部と、前記通信部、前記音声データ照合部、前記グループＩＤ発行部および前記グループ通話確立部を制御する制御部とを備え、
前記制御部は、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立サーバ。
【請求項２】
少なくとも２つの前記通信端末からなるグループを一意に特定する前記音声データを保持する音声データ保持部をさらに備え、
前記制御部は、複数の前記通信端末から送信された前記音声データと前記音声データ保持部に保持された音声データとを前記音声データ照合部に照合させ、少なくとも２つの前記通信端末から送信された前記音声データが前記音声データ保持部に保持された音声データと一致した場合、前記通信端末に共通の前記グループＩＤを前記グループＩＤ発行部に発行させて前記通信端末を互いに関連付ける請求項１に記載のグループ通話確立サーバ。
【請求項３】
前記制御部は、複数の前記通信端末から送信された音声データが一致せず、少なくとも２つの前記音声データが予め定められた時間内に送信された場合、前記通信端末に共通の前記グループＩＤを前記グループＩＤ発行部に発行させて前記通信端末を互いに関連付ける請求項１または２に記載のグループ通話確立サーバ。
【請求項４】
複数の通信端末と、前記通信端末と無線通信を行い、前記通信端末から送信された音声データを受信する通信部と、前記音声データを照合する音声データ照合部と、少なくとも２つの前記通信端末に共通のグループＩＤを発行するグループＩＤ発行部と、前記通信端末間の双方向の通話を可能にするグループ通話を確立するグループ通話確立部と、前記通信部、前記音声データ照合部、前記グループＩＤ発行部および前記グループ通話確立部を制御する制御部とを備え、
前記制御部は、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立システム。
【発明の詳細な説明】
【技術分野】
【０００１】
この発明は、グループ通話確立サーバおよびシステムに関する。
【背景技術】
【０００２】
従来、屋外でのオリエンテーションやハイキングなどの参加者（構成員）から構成されるグループ内で通話する際、構成員の携帯電話等の携帯端末同士を交換器（サーバ）につないで関連付けを行うことにより、双方向通信を実現するグループ通話の技術が知られている。
【０００３】
このようなグループ通話確立の技術として、例えば、近接して配置された第１および第２の端末において同一の基準音声情報を入力し、それぞれの端末からマッチングサーバにこの基準音声情報を送信し、マッチングサーバでは、各基準音声情報を比較して同一の音声特性である場合には、各端末を同一のＩＤの元に関連付けてデータベース登録する音声入力による端末の関係付方法が提案されている（例えば、特許文献１を参照）。
このように音声特性を基準に端末同士を関連付けることによって、複雑な初期設定を行うことなく、端末同士がサーバにおいて関連付けられ、その後の特定の端末間の通信が容易となる。
【先行技術文献】
【特許文献】
【０００４】
【特許文献１】特開２００２−１７６４９６号公報
【発明の概要】
【発明が解決しようとする課題】
【０００５】
同一の音声情報で関連付けられた携帯端末をサーバ上で判断し、マッチングを行う従来のグループ通話確立技術は、当該グループを構成する構成員の携帯端末を互いに近くに並べて音声取得待機状態にした上で、一の構成員が当該携帯端末に向けて発声する必要がある。しかしながら、例えば、その後の離散行動時において通話グループの変更が必要になった場合、構成員が同一の場所に集まって、新たな通話グループの構成員の携帯端末を並べて音声取得待機状態にした上で再度関連付けを行う必要があった。
【０００６】
この発明は、このような事情に鑑み、グループの構成員が離散行動時にあっても、音声入力による関連付けによって、当該グループの構成員の携帯端末間のグループ通話の確立を実現するグループ通話確立サーバおよびシステムを提供することにある。
【課題を解決するための手段】
【０００７】
この発明は、複数の通信端末と無線通信を行い、前記通信端末から送信された音声データを受信する通信部と、前記音声データを照合する音声データ照合部と、少なくとも２つの前記通信端末に共通のグループＩＤを発行するグループＩＤ発行部と、前記通信端末間の双方向の通話を可能にするグループ通話を確立するグループ通話確立部と、前記通信部、前記音声データ照合部、前記グループＩＤ発行部および前記グループ通話確立部を制御する制御部とを備え、前記制御部は、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立サーバを提供するものである。
また、この発明は、複数の通信端末と、前記通信端末と無線通信を行い、前記通信端末から送信された音声データを受信する通信部と、前記音声データを照合する音声データ照合部と、少なくとも２つの前記通信端末に共通のグループＩＤを発行するグループＩＤ発行部と、前記通信端末間の双方向の通話を可能にするグループ通話を確立するグループ通話確立部と、前記通信部、前記音声データ照合部、前記グループＩＤ発行部および前記グループ通話確立部を制御する制御部とを備え、前記制御部は、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立システムを提供するものである。
【発明の効果】
【０００８】
この発明によれば、所望のグループに共通のキーワードを設定し、当該キーワードが同一であるか否かを判断して携帯端末同士の関連付けを行うことにより、当該関連付けの時刻や場所に関わらず、当該グループの構成員の携帯端末間のグループ通話を確立するグループ通話確立サーバおよびシステムを実現できる。
【図面の簡単な説明】
【０００９】
【図１】この発明の第１実施形態に係るグループ通話確立システムの概略構成のブロック図である。
【図２】この発明の第１実施形態に係るグループ通話確立システムにおけるマッチングキーワード登録処理のフローチャートである。
【図３】この発明の第１実施形態に係るグループ通話確立システムにおけるマッチング処理のフローチャートである。
【発明を実施するための形態】
【００１０】
この発明は、複数の通信端末と無線通信を行い、前記通信端末から送信された音声データを受信する通信部と、前記音声データを照合する音声データ照合部と、少なくとも２つの前記通信端末に共通のグループＩＤを発行するグループＩＤ発行部と、前記通信端末間の双方向の通話を可能にするグループ通話を確立するグループ通話確立部と、前記通信部、前記音声データ照合部、前記グループＩＤ発行部および前記グループ通話確立部を制御する制御部とを備え、前記制御部は、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立サーバを提供するものである。
また、この発明は、複数の通信端末と、前記通信端末と無線通信を行い、前記通信端末から送信された音声データを受信する通信部と、前記音声データを照合する音声データ照合部と、少なくとも２つの前記通信端末に共通のグループＩＤを発行するグループＩＤ発行部と、前記通信端末間の双方向の通話を可能にするグループ通話を確立するグループ通話確立部と、前記通信部、前記音声データ照合部、前記グループＩＤ発行部および前記グループ通話確立部を制御する制御部とを備え、前記制御部は、複数の前記通信端末から送信された前記音声データを前記音声データ照合部に照合させ、少なくとも２つの前記通信端末から送信された前記音声データが一致した場合、前記通信端末に共通の前記グループＩＤを前記グループＩＤ発行部に発行させて前記通信端末を互いに関連付け、少なくとも一の前記通信端末から前記グループＩＤを有する通信要求指令を受信したとき、前記グループＩＤによって関連付けられた前記通信端末間のグループ通話を前記グループ通話確立部に確立させるグループ通話確立システムを提供するものである。
【００１１】
「グループＩＤ」とは、少なくとも２つの携帯端末からなる携帯端末群に共通のＩＤであり、当該通信端末群を一意に特定するためのＩＤである。
「グループ通話の確立」とは、例えば、当該グループに属する携帯端末間に、通話データである音声データ（パケット）のコピーおよび転送を行うことにより、当該携帯端末間の通話を確立させることである。
【００１２】
この発明によるグループ通話確立サーバにおいて、少なくとも２つの前記通信端末からなるグループを一意に特定する前記音声データを保持する音声データ保持部をさらに備え、前記制御部は、複数の前記通信端末から送信された前記音声データと前記音声データ保持部に保持された音声データとを前記音声データ照合部に照合させ、少なくとも２つの前記通信端末から送信された前記音声データが前記音声データ保持部に保持された音声データと一致した場合、前記通信端末に共通の前記グループＩＤを前記グループＩＤ発行部に発行させて前記通信端末を互いに関連付けるものであってもよい。
【００１３】
このようにすれば、音声取得待機状態において、複数の携帯端末のうち所望の携帯端末同士のみを関連付けさせたい場合に、当該携帯端末に対して予め共通のマッチングキーワードを登録することにより、特定の携帯端末同士のみマッチングさせるグループ通話確立サーバを実現できる。
【００１４】
「音声データ」とは、グループ通話に参加する携帯端末を特定するために予め定められたキーワードである。
【００１５】
この発明によるグループ通話確立サーバにおいて、前記制御部は、複数の前記通信端末から送信された音声データが一致せず、少なくとも２つの前記音声データが予め定められた時間内に送信された場合、前記通信端末に共通の前記グループＩＤを前記グループＩＤ発行部に発行させて前記通信端末を互いに関連付けるものであってもよい。
【００１６】
このようにすれば、音声入力がなされたとき、その音声波形と受信時刻、送信場所を以てマッチングのトリガと簡易認証を行う第１ステップと、入力された音声を語句解析し、その語句を登録されたマッチングキーワードと比較することにより、第１ステップでマッチング対象となった携帯端末の中からさらに特定の携帯端末グループを選び出す第２ステップから成る２段階のグループ通話の確立を実現するグループ通話確立サーバを実現できる。これにより、マッチングキーワードを発音する場合は、当該マッチングキーワードによって互いに関連付けられた携帯端末が、マッチングキーワードを発音しない場合は、音声取得待機状態にある全ての携帯端末同士が互いに関連付けられてグループ通話が確立される。
【００１７】
〔第１実施形態〕
＜携帯端末の構成＞
以下、図１〜図３に基づき、この発明の第１実施形態に係る携帯端末１の構成を説明する。
図１は、この発明の第１実施形態に係る携帯端末１の概略構成のブロック図である。図２は、この発明の第１実施形態に係るグループ通話確立システム１００におけるマッチングキーワード登録処理のフローチャートである。図３は、この発明の第１実施形態に係るグループ通話確立システム１００におけるマッチング処理のフローチャートである。
【００１８】
図１に示すように、この発明の第１実施形態に係るグループ通話確立システム１００は、携帯端末１，１ａ、ネットワーク２、ネットワーク２に接続する基地局２１および通信サーバとして機能するサーバ３を備える。
なお、携帯端末１，１ａは、２つのみに限定されず、任意の数の携帯端末を用いるものであってもよい。
【００１９】
この発明の携帯端末１は、端末制御部１０、入力部１１、音声入力部１２、音声認識部１３、端末通信部１４、表示部１５、端末タイマ１６および端末メモリ１７を備える。
携帯端末１ａも携帯端末１と同様の構成を有する。
【００２０】
第１実施形態において、この発明の通信端末は、携帯端末１および１ａに相当する。この発明の無線通信は、端末制御部１０および端末通信部１４と、ネットワーク２および基地局２１と、制御部３０および通信部３１との協働によって実現される。
【００２１】
以下、図１に示すグループ通話確立システム１００の各構成要素について説明する。
携帯端末１は、各種の情報を受信可能な通信機能を有する携帯用の通信端末であり、例えば、携帯電話、ＰＨＳ、ＰＤＡ、タブレット端末、ノートパソコン、携帯型ナビゲーション装置などの携帯型端末を利用することができる。
ネットワーク２は、基地局２１と接続され、基地局２１を介して携帯端末１とデータの送受信を媒介する。ネットワーク２としては、ＬＡＮ、インターネットなどの広域ネットワーク（ＷＡＮ）、専用の通信回線などいずれのネットワークを利用してもよい。
サーバ３は、ネットワーク２に接続され、ネットワーク２を介して携帯端末１とデータの送受信を行い、データの処理および管理を行う装置である。
【００２２】
端末制御部１０は、携帯端末１の各構成要素の動作を制御する部分であり、主として、ＣＰＵ、ＲＯＭ、ＲＡＭ、Ｉ／Ｏコントローラ、タイマ等からなるマイクロコンピュータによって実現される。
ＣＰＵは、ＲＯＭ等に予め格納された制御プログラムに基づいて、各ハードウェアを有機的に動作させて、後述するようなこの発明の動作処理を実行する。
【００２３】
入力部１１は、ユーザが携帯端末１への指令を入力する部分であり、携帯端末１の表面に、操作パネル、あるいは操作ボタンとして設けられる。
また、タッチパネル機能により、表示部１５を介して入力を行うものであってもよい。
【００２４】
音声入力部１２は、人の声あるいは音（以下、まとめて音声と呼ぶ）などのいわゆる音響データを入力する部分であり、マイクが利用される。
音声認識部１３は、音声入力部１２から入力された音声を認識する。音声認識部１３は、入力された音声を、例えば、ＡＤ変換により所定のデジタルフォーマットに変換して入力音声データとして解析を行うことにより、当該音声データに含まれる単語または語句を特定する。
【００２５】
端末通信部１４は、ネットワーク２の基地局２１を介して、サーバ３と通信する部分である。すなわち、サーバ３に対して、種々の情報を送信する部分であり、また、サーバ３から動作要求等のデータを受信する部分である。
【００２６】
表示部１５は、携帯端末１のユーザに対して各種情報の表示を行う。表示部１５は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。
【００２７】
端末タイマ１６は、端末制御部１０と協働して、音声入力部１２から入力された音声の検知時間および音声検知待機時間を計測する。
【００２８】
端末メモリ１７は、携帯端末１の各種機能を実現するために必要な情報や、プログラムを記憶する部分であり、ＲＡＭやＲＯＭ等の半導体素子、ハードディスク、フラッシュメモリ等の記憶媒体が用いられる。
【００２９】
基地局２１は無線通信機能を有し、ネットワーク２を通じて携帯端末１，１ａとサーバ３との間を相互接続し、またデータの送受信を中継する装置である。
【００３０】
制御部３０は、端末制御部１０と同様の構成を有するため、説明を省略する。
通信部３１は、ネットワーク２およびネットワーク２に接続された基地局２１を介して、携帯端末１，１ａと通信する部分である。すなわち、携帯端末１，１ａに対して、種々の情報を送信する部分であり、また、携帯端末１，１ａから動作要求等のデータを受信する部分である。
【００３１】
音声データ照合部３２は、携帯端末１，１ａから受信した音声データと、マッチングキーワード登録情報３６ａに記憶された多数の音声データとのパターンマッチングを行い、マッチングキーワード登録情報３６ａの音声データの中に、所定の判定基準を満たす一致度の高い音声データがあれば、その音声データに対応づけられた処理を行う。
【００３２】
グループＩＤ発行部３３は、携帯端末１，１ａを関係付けるため、任意の数の英数字記号からなる同一のマッチングＩＤを発行し、マッチングＩＤデータベース３５ｂに登録する。
【００３３】
タイマ３４は、制御部３０と協働して、通信部３１が受信した音声の検知時間を計測する。
メモリ３５は、マッチングキーワード登録情報３５ａおよびマッチングＩＤデータベース３５ｂを備える。
マッチングキーワード登録情報３５ａは、マッチングキーワードの音声情報が記録される。
マッチングＩＤデータベース３５ｂは、複数の携帯端末１，１ａを関係付けるためのマッチングＩＤが記録される。
【００３４】
＜マッチングキーワードの登録処理の具体例＞
次に、図２に基づき、マッチングキーワードの登録処理の具体例について説明する。
第１実施形態において、携帯端末１の登録処理について説明するが、携帯端末１ａについても同様である。
【００３５】
最初に、ユーザは、関連付けさせたい携帯端末１の入力部１１を操作して、携帯端末１に予めインストールされたマッチングアプリケーション（以下、マッチングアプリ）を起動させ、マッチングキーワード登録モードにする。
【００３６】
ステップＳ１において、携帯端末１の端末制御部１０は、マッチングキーワード登録指令を受けたか否かを判定する（ステップＳ１）。マッチングキーワード登録指令を受けた場合（ステップＳ１の判定がＹｅｓの場合）、端末制御部１０は、ステップＳ２へ進む。一方、マッチングキーワード登録指令を受けていない場合（ステップＳ１の判定がＮｏの場合）、端末制御部１０は、ステップＳ１の処理を反復する。
【００３７】
次に、ステップＳ２において、端末制御部１０は、端末通信部１４にサーバ３へのログイン要求を送信させる。
【００３８】
一方、ステップＳ３１において、制御部３０は、携帯端末１からログイン要求を受信したか否かを判定する（ステップＳ３１）。携帯端末１からのログイン要求を受信した場合（ステップＳ３１の判定がＹｅｓの場合）、制御部３０は、ステップＳ３２へ進み、ログイン処理を行う（ステップＳ３２）。なお、実施形態１において、当該ログイン処理は、携帯端末ごとに行われる。
ログイン後、ステップＳ３３において、制御部３０は、携帯端末１に対する音声データの送信要求を送信部３５に送信させる（ステップＳ３３）。
【００３９】
次に、ステップＳ３において、端末制御部１０は、端末通信部１４がサーバ３から音声データの送信要求を受信したか否かを判定する（ステップＳ３）。端末通信部１４がサーバ３から音声データの送信要求を受信した場合（ステップＳ３の判定がＹｅｓの場合）、端末制御部１０は、ステップＳ４へ進む。一方、端末通信部１４がサーバ３から音声データの送信要求を受信しない場合（ステップＳ３の判定がＮｏの場合）、端末制御部１０は、ステップＳ３の処理を反復する。
【００４０】
続くステップＳ４において、端末制御部１０は、音声入力部１２に音声検知待機状態に移行させる（ステップＳ４）。このとき、表示部１５または図示しない音声出力部を通じて、ユーザにマッチングキーワードの発声を促すようにしてもよい。
【００４１】
次に、ステップＳ５において、予め定められた時間（例えば、３０秒間）以内に音声入力部１２が音声を検知したか否かを判定する（ステップＳ５）。予め定められた時間以内に音声入力部１２が音声を検知した場合（ステップＳ５の判定がＹｅｓの場合）、端末制御部１０は、ステップＳ６へ進む。
【００４２】
ステップＳ６において、端末制御部１０は、端末通信部１４に音声入力部１２が検知した音声を音声データとしてサーバ３へ向けて送信させる（ステップＳ６）。その後、端末制御部１０は、ステップＳ８へ進む。
【００４３】
一方、ステップＳ５において、予め定められた時間内に音声入力部１２が音声を検知しなかった場合（ステップＳ５の判定がＮｏの場合）、端末制御部１０は、ステップＳ７へ進む。ステップＳ７において、端末制御部１０は、予め定められた音声取得エラー表示を表示部１５に表示させてユーザへの音声入力を促す（ステップＳ７）。その後、端末制御部１０は、ステップＳ８へ進む。
【００４４】
一方、ステップＳ８において、端末制御部１０は、マッチングキーワード登録終了の指令を受けたか否かを判定する（ステップＳ８）。マッチングキーワード登録終了の指令を受けたと判断した場合（ステップＳ８の判定がＹｅｓの場合）、端末制御部１０は、ステップＳ９へ進み、サーバ３からのログアウト要求を端末通信部１４に送信させる（ステップＳ９）。その後、端末制御部１０は、マッチングキーワード登録処理を終了させる。
一方、マッチングキーワード登録終了の指令を受けたと判断しなかった場合（ステップＳ８の判定がＮｏの場合）、端末制御部１０は、ステップＳ４へ戻り、音声検知処理を反復する。
【００４５】
次に、ステップＳ３４において、制御部３０は、携帯端末１から音声データを取得したか否かの判定を行う（ステップＳ３４）。予め定められた時間（例えば、３０秒間）以内に携帯端末１から音声データを取得した場合（ステップＳ３４の判定がＹｅｓの場合）、制御部３０は、ステップＳ３５へ進み、受信した音声データをマッチングキーワードとして、メモリ３５のデータベース３５ａに登録する（ステップＳ３５）。その際、当該マッチングキーワードに関連する携帯端末１の情報も合わせてデータベース３５ａに登録する。
一方、予め定められた時間内に携帯端末１から音声データを取得しなかった場合（ステップＳ３４の判定がＮｏの場合）、制御部３０は、ステップＳ３６へ進む。
【００４６】
次に、ステップＳ３６において、制御部３０は、通信部３１が携帯端末１からログアウト要求を受信したか否かを判定する（ステップＳ３６）。通信部３１が携帯端末１からログアウト要求を受信した場合（ステップＳ３６の判定がＹｅｓの場合）、制御部３０はステップＳ３７へ進み、ログアウト処理を行い、処理を終了させる（ステップＳ３７）。
一方、通信部３１が携帯端末１からログアウト要求を受信しなかった場合（ステップＳ３６の判定がＮｏの場合）、制御部３０はステップＳ３４へ戻り、携帯端末１からの音声データの受信があったか否かの判定を反復する（ステップＳ３４）。
【００４７】
携帯端末１についてマッチングキーワードの登録を行った後、携帯端末１ａについても同様の手順で登録を行う。なお、マッチングキーワードの登録に関して、携帯端末１および携帯端末１ａの先後は関係なく、携帯端末１ａについて先に登録を行ってから携帯端末１について登録を行ってもよく、携帯端末１および１ａについて同時に登録処理を行ってもよい。
【００４８】
<マッチング処理>
次に、図３に基づき、マッチング処理の具体例について説明する。
以下の処理のうち、ステップＳ１０１〜Ｓ１０９，Ｓ３０１〜Ｓ３０３およびＳ３０６〜Ｓ３０７の処理については、図２の処理（それぞれ、ステップＳ１〜Ｓ９，Ｓ３１〜Ｓ３３およびＳ３６〜Ｓ３７の処理）と同様であるため省略する。ここでは、図２の処理と異なる処理（ステップＳ３０４およびＳ３０５）についてのみ説明する。
【００４９】
図３のマッチング処理が、図２のマッチングキーワードの登録処理と大きく異なる点は、図２の処理が、携帯端末１および１ａのそれぞれについて独立にマッチングキーワードの登録処理を行うのに対し、図３のマッチング処理は、マッチングの対象となる携帯端末１および１ａの両方をサーバ３にログイン状態にした上で同時処理を行う点である。以下、詳細について説明する。
【００５０】
ステップＳ３０４において、制御部３０は、マッチングの対象となる携帯端末１および１ａから予め定められたタイミングで音声データを受信したか否かを判定する（ステップＳ３０４）。
受信のタイミングとしては、携帯端末１および１ａがそれぞれ音声を検知した時点を基準に判断するが、ある程度の時間の幅（例えば、２秒程度の時間差）があってもよい。また、携帯端末の機数に応じて時間の幅を適当に調整してもよい。
【００５１】
マッチングの対象となる携帯端末１および１ａから予め定められたタイミングで音声データを受信した場合（ステップＳ３０４の判定がＹｅｓの場合）、制御部３０は、ステップＳ３０５へ進む。
【００５２】
一方、マッチングの対象となる携帯端末１および１ａから予め定められたタイミングで音声データを受信しなかった場合（ステップＳ３０４の判定がＮｏの場合）、制御部３０は、ステップＳ３０６へ進む。
【００５３】
続くステップＳ３０５において、制御部３０は、音声データ照合部３２に音声データの照合を行わせ、照合結果に応じて該当する携帯端末間のマッチング処理を実行する（ステップＳ３０５）。
音声データの照合およびマッチング処理の詳細については、後述する。
その後、制御部３０は、ステップＳ３０６へ進む。
【００５４】
<マッチング処理の詳細>
次に、具体的な例をもとに、マッチング処理について説明する。
携帯端末１ａ〜１ｆとその所持者甲〜己の６人からなるパーティのメンバーを想定する。
表１は、携帯端末１ａ〜１ｆ、その所持者甲〜己およびその特性をそれぞれ示したものである。ここで、甲および丁は、それぞれ班長および副班長としての特性（役割）を、乙および戊は、連絡係（連絡係１および連絡係２）としての特性を有しているものとする。
【００５５】
【表１】
2014045446.tif 000003
【００５６】
マッチングキーワードの登録後、マッチング処理が行われた場合を想定する。照合の結果、一致するマッチングキーワードを認識できなかった場合、制御部３０は、音声の検知時刻に基づきマッチングＩＤを割り当てる。
【００５７】
検知時刻としては、必ずしも同時刻である必要はなく、ある程度の時間幅を有していてもよい。
表２は、携帯端末１ａ〜１ｆ、その所持者甲〜己、各携帯端末１ａ〜１ｆの音声検知時刻（時：分：秒）および各携帯端末１ａ〜１ｆに割り当てられたマッチングＩＤをそれぞれ示したものである。
【００５８】
例えば、時間幅を２秒間に設定した場合、表２において、サーバ３にログイン中の携帯端末１ａ〜１ｆのうち、最も早い時刻に音声が検知された時刻（8:00:00）を基準として２秒程度の時間内に検知された音声の入力源である携帯端末１ａ〜１ｅのグループに共通のマッチングＩＤ（＃１２３ＡＢＣ）を割り当てられることにより携帯端末１ａ〜１ｅが互いに関連付けられる。
一方、携帯端末１ｆからの音声は、基準時刻（8:00:00）から３０秒遅れて（8:00:30）検知されているため、同時受信したものとみなされず、マッチングＩＤの割り当ての対象とならない。
【００５９】
【表２】
2014045446.tif 000004
【００６０】
上記のようにしてマッチングＩＤが割り当てられた携帯端末１ａ〜１ｅの所持者である甲〜戊は、サーバ３から割り当てられたマッチングＩＤを入力部１１ａ〜１１ｅから入力することにより、双方向のグループ通話が可能となる。
【００６１】
なお、時刻の基準は、必ずしも最も早く音声が検知された時刻に限られず、自由に定めることができる。例えば、予め定められた特定の携帯端末から発せられた音声の検知時刻を基準として、前後１秒以内の時間幅に検知された携帯端末をマッチングの対象としてもよい。
【００６２】
また、図示しないＧＰＳ機能を用いることによって携帯端末１ａ〜１ｆの場所を特定し、音声を検知した際の各携帯端末１ａ〜１ｆの位置を計算して、互いに予め定められた距離（例えば、数ｍ）の範囲内にある携帯端末をマッチングの対象としてもよい。
【００６３】
次に、マッチング処理において、音声照合の結果、互いに一致するマッチングキーワードが認識された場合の処理について説明する。
表３は、携帯端末１ａ〜１ｆ、その所持者甲〜己、各携帯端末１ａ〜１ｆの音声検知時刻（時：分：秒）、各携帯端末１ａ〜１ｆで検知されたマッチングキーワードおよび当該マッチングキーワードに基づき、各携帯端末１ａ〜１ｆに割り当てられたマッチングＩＤをそれぞれ示したものである。
【００６４】
【表３】
2014045446.tif 000005
【００６５】
表３に示すように、甲および丁は「カンリ」、乙および戊は「レンラク」という共通のキーワードをそれぞれ発声している。その他の所持者、丙および己は、音声を発声していないものとする。
【００６６】
表３において、サーバ３にログイン中の携帯端末１ａ〜１ｆのうち、最も早い時刻に音声が検知された時刻（8:00:00）を基準として２秒程度の時間内に検出された音声の入力源である携帯端末１ａ〜１ｄ，１ｆのグループがマッチングＩＤ割り当ての対象となる。
一方、携帯端末１ｅからの音声は、基準時刻（8:00:00）から３０秒遅れて（8:00:30）検知されているため、同時受信したものとみなされない。それゆえ、戊は「レンラク」というキーワードを発声しているにもかかわらず、戊の携帯端末１ｅは、音声照合の対象から除外される。また、音声を発していない丙の携帯端末１ｃおよび己の携帯端末１ｆも、音声照合の対象から除外され、その結果、残りの携帯端末１ａ，１ｂおよび１ｄが音声照合の対象となる。
【００６７】
照合の結果、キーワードがいずれも「カンリ」で一致する甲の携帯端末１ａおよび丁の携帯端末１ｄに共通のマッチングＩＤ（＄４５６ＤＥＦ）を割り当てられ、携帯端末１ａおよび１ｄが互いに関連付けられる。
一方、携帯端末１ｂは、「レンラク」というキーワードが乙により発声させられているものの、前述のように、戊の携帯端末１ｅは音声照合の対象外であり、その他の携帯端末からは携帯端末１ｂと共通のキーワードが検出されていないため、マッチングＩＤの割り当てはなされない。
【００６８】
表３の例において、甲の携帯端末１ａおよび丁の携帯端末１ｄにのみ、共通のマッチングＩＤ（＄４５６ＤＥＦ）が割り当てられるが、当該マッチングＩＤの他、表２に示すように、同時検出された音声の入力源である携帯端末１ａ〜１ｅのグループに共通のマッチングＩＤ（＃１２３ＡＢＣ）をさらに割り当ててもよい。
この場合、一度のマッチング処理で複数の異なるマッチングＩＤ（＄４５６ＤＥＦおよび＃１２３ＡＢＣ）が割り当てられる。それゆえ、甲および丁は、共通のマッチングキーワード「カンリ」によって割り当てられたマッチングＩＤ（＄４５６ＤＥＦ）を携帯端末に入力することにより、互いの携帯端末（１ａおよび１ｄ）間で会話できる一方で、甲〜戊は、音声同時検出により割り当てられたマッチングＩＤ（＃１２３ＡＢＣ）を入力することにより、別のグループ通話が可能となる。
【００６９】
なお、複数のグループ通話が競合する可能性がある場合は、先に確立されたグループ通話を優先させるものとする。例えば、上の例において、甲が丁と会話している間は、マッチングＩＤ（＄４５６ＤＥＦ）に基づくグループ通話が確立されているため、甲および丁の携帯端末１ａおよび１ｄを含むマッチングＩＤ（＃１２３ＡＢＣ）に基づくグループ通話は先に確立されたグループ通話と競合する。それゆえ、マッチングＩＤ（＃１２３ＡＢＣ）に基づくグループ通話が優先され、当該グループ通話が中止されない限り、マッチングＩＤ（＄４５６ＤＥＦ）に基づくグループ通話は確立されない。
【００７０】
一方、マッチングキーワードは、１つに限られず、携帯端末の所持者の特性に合わせて複数のマッチングキーワードを登録してもよい。
例えば、屋外でのハイキングや登山のパーティなどのグループを想定し、表４に示すような６人のメンバー構成からなる場合を考える。
【００７１】
表４は、携帯端末１ａ〜１ｆ、その所持者甲〜己、各所持者の特性１〜３をそれぞれ示したものである。
表４に示すように、甲〜己はそれぞれ、特性１〜３、すなわち、性別（男女別）、年齢層（大人・子供の別）、経験（初級者、中級者、上級者の別）によって分類される。
【００７２】
【表４】
2014045446.tif 000006
【００７３】
このとき、携帯端末の所持者の特性に応じたマッチングキーワードを、例えば、「男性」「大人」「上級者」などと事前登録しておき、「女性グループ」「大人グループ」「上級者グループ」「全参加者グループ」など、グループの特性に合わせてマッチングＩＤを割り当てることで、その時々の状況に応じて異なるグループ間の通話の確立が可能となる。
【００７４】
なお、制御部３０は、マッチングＩＤの割り当てと同時に、通信アプリケーションに各グループ通話の確立に対応するショートカットアイコンを自動生成させてもよい。このようにすれば、グループの各構成員は、該当するアイコンを選択するだけで、所望のグループの構成員との会話が容易に実現できる。
【００７５】
このようにして、予め定められたキーワード数に応じて、多様な携帯端末同士の関連付けが可能となり、状況に合わせて柔軟に所望のグループとの会話が実現可能となる。
なお、上に挙げた処理はあくまで一例であり、この発明のグループ通話確立システムの処理を限定するものではない。
【符号の説明】
【００７６】
１，１ａ〜１ｆ：携帯端末
２：ネットワーク
３：サーバ
１０，１０ａ：端末制御部
１１，１１ａ：入力部
１２，１２ａ：音声入力部
１３，１３ａ：音声認識部
１４，１４ａ：端末通信部
１５，１５ａ：表示部
１６，１６ａ：端末タイマ
１７，１７ａ：端末メモリ
２１：基地局
３０：制御部
３１：通信部
３２：音声データ照合部
３３：グループＩＤ発行部
３４：タイマ
３５：メモリ
３５ａ：マッチングキーワード登録情報
３５ｂ：マッチングＩＤデータベース
１００：グループ通話確立システム
【図１】
2014045446.tif 000007
【図２】
2014045446.tif 000008
【図３】
2014045446.tif 000009